(57)【要約】【課題】  上記技術にはソケットに接続される床上に配管口が位置する床上配管の寸法精度、あるいは床面に起立する床下配管の立ち上げ位置の施工精度によっては、ソケットと床面に起立する床下配管の取り付きが悪く、施工性が悪くなるという課題を解決するための発明。【解決手段】  床面に起立する床下配管と、床上に配管口が位置する床上配管とを接続する配管接続構造であって、前記床下配管に接続する円筒のアダプタと、前記床上配管の配管口に接続すると共に、前記アダプタとアダプタ接続部にて接続するソケットと、前記アダプタと前記ソケットとの間に介在し、水密を保持するシール材とを供え、前記アダプタは外周面の一部に鍔部を備え、前記ソケットにおける前記アダプタ接続部は床面に接触する床当接面とその内側に形成されたシール材受止め面とさらにその内側に形成された配水口とを備え、前記ソケットと前記アダプタを接続したときに、前記ソケットの床当接面と前記アダプタ鍔部との間に間隙が設けられるようにした配水接続構造。【選択図】  図４
2010031504.tif 000002
【特許請求の範囲】
【請求項１】
床面に起立する床下配管と、床上に配管口が位置する床上配管とを接続する配管接続構造であって、
前記床下配管に接続する円筒のアダプタと、
前記床上配管の配管口に接続すると共に、前記アダプタとアダプタ接続部にて接続するソケットと、
前記アダプタと前記ソケットとの間に介在し、水密を保持するシール材とを供え、
前記アダプタは外周面の一部に鍔部を備え、
前記ソケットにおける前記アダプタ接続部は床面に接触する床当接面と
その内側に形成されたシール材受止め面と
さらにその内側に形成された配水口とを備え、
前記ソケットと前記アダプタを接続したときに、前記ソケットの床当接面と前記アダプタ鍔部との間に間隙が設けられるようにした配水接続構造。
【請求項２】
前記ソケットと前記アダプタを接続する際にシール材として粘性ガスケットを使用していることを特徴とする請求項１に記載の配水接続構造。
【請求項３】
前記シール材受止め面近傍に、前記アダプタの内径より径の小さい立下り部を設けたことを特徴とする請求項１乃至２に記載の配水接続構造。
【請求項４】
前記ソケットがエルボ状になっており、横引配管を床下配管へ接続することを特徴とする請求項１乃至３に記載の配水接続構造。
【発明の詳細な説明】
【技術分野】
【０００１】
本発明は、床面に起立する床下配管と、床上に配管口が位置する床上配管とを接続するための配水接続構造に係り、ソケットとアダプタの間に若干の遊びを設け、設置の際の誤差を吸収できる構造とし、施工性を高めた配水接続構造に関するものである。
【背景技術】
【０００２】
従来、床面に起立する床下配管と、床上に配管口が位置する床上配管とを接続する場合、ソケットを床面に固定する方法が知られている。（たとえば、特許文献１）
【０００３】
また、従来の床面に起立する床下配管と床上に配管口が位置する床上配管との接続方法としては、アダプタを床面に固定し、そのアダプタとソケットを接続する方法も知られている。（たとえば特許文献２）
【発明の開示】
【発明が解決しようとする課題】
【０００４】
ところで、上記技術にはソケットに接続される床上に配管口が位置する床上配管の寸法精度、あるいは床面に起立する床下配管の立ち上げ位置の施工精度によっては、ソケットと床面に起立する床下配管の取り付きが悪く、施工性が悪くなるという問題が存在した。
【０００５】
【特許文献１】特許３９２０４９０号
【特許文献２】特開２００７−１６２３０６号公報（第９頁、第６図）
【課題を解決するための手段】
【０００６】
上記目的を達成するために請求項１記載の発明は、床面に起立する床下配管と、床上に配管口が位置する床上配管とを接続する配管接続構造であって、前記床下配管に接続する円筒のアダプタと、前記床上配管の配管口に接続すると共に、前記アダプタとアダプタ接続部にて接続するソケットと、前記アダプタと前記ソケットとの間に介在し、水密を保持するシール材とを供え、前記アダプタは外周面の一部に鍔部を備え、前記ソケットにおける前記アダプタ接続部は床面に接触する床当接面とその内側に形成されたシール材受止め面とさらにその内側に形成された配水口とを備え、前記ソケットと前記アダプタを接続したときに、前記ソケットの床当接面と前記アダプタ鍔部との間に間隙が設けられるようにしたことを特徴とする。
【発明の効果】
【０００７】
本発明によれば、床面とソケットの間に遊びを設けることで、ソケットに接続される床上に配管口が位置する床上配管の要求寸法精度及び、床面に起立する床下配管の立ち上げ位置の要求施工精度が緩和され、施工性が向上するという効果がある。
【発明を実施するための最良の形態】
【０００８】
本発明の第一実施例を図１〜５に示す。
【０００９】
図１に示したアダプタ１は、全周にわたって設けられている鍔部３を備える。図２に示したようにこのアダプタ１は円筒状である。また、アダプタ１の外径は床面１０まで起立状に配管された排水管の内径と略同一である。
【００１０】
図３に示すように、ソケット２はエルボ状であり横方向から機器の排水口より下流に接続された横引配管が挿入される配管挿入部４と、床面に接触する床当接面５とその内側に形成されたシール材受止め面６とさらにその内側に形成された配水口７とを備え、アダプタ１が挿入されるアダプタ挿入部８を有する。ここでアダプタ挿入部８の一部がシール材受止め面６となっている。なお、排水口７もソケット２のエルボ状の形状に合わせて、内部で曲折している。
【００１１】
配管挿入部４の内径は機器の排水口より下流に接続された横引配管の内径と同等かわずかに大きい。また、排水口７の内径は、アダプタ１の内径と略同等かわずかに小さい。
【００１２】
ソケット２のアダプタ挿入部８の内径は、鍔部３の外径よりも大きくなっている。
アダプタ１と排水口７の内径が同一である場合、アダプタ挿入部８の内径は鍔部３の外径に鍔部３の幅を足したものよりは小さくなければならない。
アダプタ１と排水口７の内径が同一でない場合は、アダプタ挿入部８の内径は鍔部３の外径から、排水口７の内径とアダプタ１の内径の差を引いたものよりも小さくなければならない。
【００１３】
アダプタ１の床面からの突出高は、ソケット２の床当接面５からシール材受止め面６の高さよりも短い。
【００１４】
シール材受止め面６と鍔部３の間に存在する空間にはシール材として、平パッキンが挿入され、ソケット２はネジ、又は釘などの固定部材によって床面１０と固定される。
【００１５】
ソケット２を床面１０に固定するために、ソケット２の床当接面５上部にはネジ貫通孔９が、床面１０にはネジ受け穴が設けられている。
このネジ貫通孔９の内径は、ネジ貫通孔９を通じて床面１０に挿入されるネジの径より大きめに穿設されている。
【００１６】
図４に第一実施例の施工例を示す。アダプタ１は床面１０まで起立状に配管された排水管に挿入され、アダプタ１と床面１０まで起立状に配管された排水管は接着される。このとき、鍔部３は床面１０に当接する。
ソケット２の配管挿入部４には、機器の排水口より下流に接続された横引配管が挿入される。
【００１７】
床より上に突出しているアダプタ１ソケット２のアダプタ挿入部８をかぶせる。このとき、アダプタ１とソケット２の間には平パッキンが挿入される。
ソケット２は穿設されたネジ貫通孔９を利用して床にネジ固定される。
施工後も、ネジを脱着することによって、ソケット１自身も脱着可能である。
【００１８】
鍔部３が床面１０と当接することによって、アダプタ１が安定する効果が得られる。
【００１９】
ソケット２がエルボ状の構造を持つことで、機器の排水溝より下流に接続された横引配管を床面１０まで起立状に配管された排水管へと接続することが可能となる。
また、排水口７の内径が機器の排水口より下流に接続された横引配管の内径とアダプタの内径との中間であることによって、機器の排水溝より下流に接続された横引配管より流入した排水が流れを妨げられることなく、床面１０まで起立状に配管された排水管へと流出することが可能となる。
【００２０】
ソケット２のアダプタ挿入部８の内径は、鍔部３の外径よりも大きくなっている。このような構造により、床面１０に固定されたアダプタ１とソケット２の間に遊びが生じることになり、アダプタ１及び床面１０まで起立状に配管された排水管の施工位置、機器の排水溝より下流に接続された横引配管の長さに関する要求精度が緩和され、施工性が向上する。
【００２１】
また、このときアダプタ１とソケット２との間に存在する遊びの量が前記した範囲内であれば、鍔部３を含めたアダプタ１の範囲内に、ソケット２の排水口７が収まるために漏水の確率が低い。
【００２２】
アダプタ１の床面からの突出高が、ソケット２の床当接面５からシール材受止め面６の高さよりも短いことによって、床面１０に固定されたアダプタ１とソケット２の間に遊びが生じることになり、床面１０及び床面１０まで起立状に配管された排水管断面の平滑さに対する要求精度が緩和され、施工性が向上する。
【００２３】
図５に示したネジ貫通孔９を利用して床面１０にソケット２をネジで固定することによって、アダプタ１とソケット２の間に挿入されるシール材の水密シール性が向上する。固定部材としてはネジ以外にも両面テープや、釘、接着剤などが考えられるが、ネジであれば十分な締め付け荷重が得られると同時に、ソケット２自体を着脱可能に固定することが可能であり、床面１０まで起立状に配管された排水管に、何らかの理由により詰まりなどのトラブルが発生した場合において、床面１０まで起立状に配管された排水管内の観察や処置が行い易いという効果が得られる。
【００２４】
また、ソケット２のネジ貫通孔９の径を使用するネジの外径よりも大きく設定することにより、床面に設けられたネジ受け穴とソケット２の取り付け位置に関して自由度が発生し、ネジ受け穴施工位置の要求精度が緩和され、施工性が向上する。
【００２５】
本実施品においては、ソケット２の床面１０へのネジ固定の他は、単純な機械的係合による作業だけで、施工が終了する。特殊な作業、工具を必要としないために、現場における施工性が向上される。
【００２６】
次に本発明の第二実施例を図６、図７に示す。
【００２７】
図６に示すようにソケット２には立下り部１１が設けられている。また図７に示すように、アダプタ１の上部は立下り部１１と係合するために内径が立下り部１１の外径よりもわずかに小さいか略同等となっている。
このとき、立下り部１１とアダプタ１の係合には、鍔部３とアダプタ挿入部８と同程度の遊びが設けられている。
【００２８】
本実施例においては、シール材受止め面６と鍔部３の間のシール材として粘性ガスケットが使用される。なお本実施例において、粘性ガスケットはポリプロピレンコンパウンドよりなるが、水密シールが可能であり粘塑性及び粘着性を有した素材であればその他の材質でも問題ない。
【００２９】
アダプタ１を含めて、その他の構成は第一実施例と同一であり、同一の符号は同一の要素をあらわす。
【００３０】
アダプタ１とソケット２の間のシール材として粘性ガスケットを使用することにより、パッキンを使用する場合と比較して常に締め付け荷重をかける必要がなくなる。また、シールされるシール材受止め面６と鍔部３の間に多少のずれがあっても、問題なくシールできる。これにより、ネジ受け穴施工位置、床面１０及び床面１０まで起立状に配管された排水管断面の平滑さ、機器の排水溝より下流に接続された横引配管の長さに対する要求精度が緩和され、施工性が向上する。
【００３１】
ソケット２に立下り部１１が設けられていることにより、押しつぶされ行き場をなくした粘性ガスケットが筒状部の中心方向へはみ出してしまい、床面１０まで起立状に配管された排水管内へ漏れ出してしまうことを避けることが可能になる。
【００３２】
また、この部分に遊びを設けることで、アダプタ挿入部８と鍔部３の間における遊びと同様の効果が得られる。
【００３３】
両実施例においてソケット２がＬ字型のエルボとなっているが、ソケット２は直管やＵ字型などどのような形状であってもかまわない。なお、排水管だけでなく給水管など別種の配水管の接続において本発明を利用することも可能である。また、平パッキン、粘性ガスケットの他に各種パッキンや、ガスケット、パテ、Ｏリングなどを水密シール可能な別のシール部材を使用してもよい。
【図面の簡単な説明】
【００３４】
【図１】本発明の実施例におけるアダプタの断面図である。
【図２】本発明の実施例におけるアダプタの上面図である。。
【図３】第一実施例におけるソケットの断面図である。
【図４】第一実施例の施工例の断面図である。
【図５】第一実施例におけるソケットの下視図である。
【図６】第二実施例におけるソケットの断面図である。
【図７】第二実施例の施工例の断面図である。
【符号の説明】
【００３５】
１…アダプタ
２…ソケット
３…鍔部
４…配管挿入部
５…床当接面
６…シール材受止め面
７…排水口
８…アダプタ挿入部
９…ネジ貫通孔
１０…床面
１１…立下り部
１２…床面まで起立状に配管された配水管
１３…機器に接続の排水口より下流に接続された横引配管
【図１】
2010031504.tif 000003
【図２】
2010031504.tif 000004
【図３】
2010031504.tif 000005
【図４】
2010031504.tif 000006
【図５】
2010031504.tif 000007
【図６】
2010031504.tif 000008
【図７】
2010031504.tif 000009